(57)【特許請求の範囲】
【請求項１】
折板で葺いた折板屋根の頂部に取付ブラケットが取り付けられており、この取付ブラケットを介して該折板屋根の頂部にソーラーパネルを固定してなるソーラーパネルの取付構造において、
前記取付ブラケットにボルトとナットを介して締結固定された状態で、表面に別のボルトのシャンク部を上向きに突出させた第１の取付金具と、
前記第１の取付金具の表面に突出した前記別のボルトのシャンク部にナットを介して締結固定された状態で、下端側が該第１の取付金具の表面に近接され或いは載置されて上端側と該第１の取付金具との間で前記ソーラーパネルの端部を挟持する第２の取付金具と、を備え、
前記第１の取付金具は、前記取付ブラケットに備えられた一対の取付片部に載置された状態でボルトとナットを介して締結固定されるＬ字形で一対の載置片部と、この一対の載置片部の各上端に折り曲げ形成され、表面に前記別のボルトのシャンク部を上向きに突出させた天井片部と、を有し、
前記第２の取付金具は、下端が前記第１の取付金具の天井片部の表面に近接され或いは載置される起立片部と、この起立片部の上端に折り曲げ形成され、前記別のボルトのシャンク部を貫通させる取付孔及び前記ソーラーパネルの端部を保持する保持部をそれぞれ形成した水平片部と、を有し、
前記第１の取付金具の天井片部の表面に突出した前記別のボルトのシャンク部に前記第２の取付金具の水平片部の取付孔を挿通させてナットを介して該水平片部を締結固定した状態で、前記第１の取付金具の天井片部の表面と前記第２の取付金具の水平片部の保持部の裏面との間で前記ソーラーパネルの端部を挟み込んで固定してなることを特徴とするソーラーパネルの取付構造。
【請求項２】
請求項１記載のソーラーパネルの取付構造であって、
前記第２の取付金具の水平片部は、上下二段の水平部を有し、この下段の水平部に前記取付孔を形成し、前記保持部としての上段の水平部の裏面で前記ソーラーパネルの端部を保持してなることを特徴とするソーラーパネルの取付構造。
【発明の詳細な説明】
【技術分野】
【０００１】
本発明は、既存の重ね式折板屋根の頂部に太陽光発電モジュールや太陽熱温水器等のソーラーパネルを取付ブラケット等を介して固定するようにしたソーラーパネルの取付構造に関する。
【背景技術】
【０００２】
この種のソーラーパネルの取付構造として、例えば、特許文献１に記載されたものが知られている。
【０００３】
この特許文献１に記載のものは、折板で葺いた重ね式折板屋根を有するカーポートの該折板屋根の頂部にソーラーパネルとしての太陽光発電モジュールを固定するものであり、折板屋根の折板の断面形状に合わせて略台形波状に折り曲げられたタイトフレーム（固定金具）の頂部に固定ボルトを上向きに固着しておき、この固定ボルトを折板屋根の頂部に形成した小孔に挿通させると共に、架台としての縦材を折板屋根の折板と共締めして、この縦板に支持枠とボルト及びナットを介して太陽光発電モジュールを締結固定していた。
【先行技術文献】
【特許文献】
【０００４】
【特許文献１】特開２００２−３０７７４号公報（図２〜図４）
【発明の概要】
【発明が解決しようとする課題】
【０００５】
しかしながら、前記従来のソーラーパネルの取付構造では、重ね式折板屋根を屋根部とする既存のカーポートに後付けで太陽光発電モジュールを設置する際に、折板屋根の頂部から外側に突出したタイトフレームの固定ボルトの先端部に、架台である四角筒状の縦材の下辺部に形成された小径の貫通孔を挿通させた後で、該四角筒状の縦材の内部の奥に位置する固定ボルトの先端部に固定ナットを螺合しなければならないため、折板屋根の頂部から外側に突出した既存の固定ボルトの先端部に縦材を固定する作業が煩雑となり、ソーラーパネルの取付作業性が悪かった。
【０００６】
そこで、本発明は、前記した課題を解決すべくなされたものであり、既設の重ね式折板屋根の頂部に予め取り付けられている既設の取付ブラケットを介して該折板屋根の頂部にソーラーパネルを簡単かつ確実に短時間で効率良く取り付けて設置することができるソーラーパネルの取付構造を提供することを目的とする。
【課題を解決するための手段】
【０００７】
請求項１の発明は、折板で葺いた折板屋根の頂部に取付ブラケットが取り付けられており、この取付ブラケットを介して該折板屋根の頂部にソーラーパネルを固定してなるソーラーパネルの取付構造において、前記取付ブラケットにボルトとナットを介して締結固定された状態で、表面に別のボルトのシャンク部を上向きに突出させた第１の取付金具と、前記第１の取付金具の表面に突出した前記別のボルトのシャンク部にナットを介して締結固定された状態で、下端側が該第１の取付金具の表面に近接され或いは載置されて上端側と該第１の取付金具との間で前記ソーラーパネルの端部を挟持する第２の取付金具と、を備え、前記第１の取付金具は、前記取付ブラケットに備えられた一対の取付片部に載置された状態でボルトとナットを介して締結固定されるＬ字形で一対の載置片部と、この一対の載置片部の各上端に折り曲げ形成され、表面に前記別のボルトのシャンク部を上向きに突出させた天井片部と、を有し、前記第２の取付金具は、下端が前記第１の取付金具の天井片部の表面に近接され或いは載置される起立片部と、この起立片部の上端に折り曲げ形成され、前記別のボルトのシャンク部を貫通させる取付孔及び前記ソーラーパネルの端部を保持する保持部をそれぞれ形成した水平片部と、を有し、前記第１の取付金具の天井片部の表面に突出した前記別のボルトのシャンク部に前記第２の取付金具の水平片部の取付孔を挿通させてナットを介して該水平片部を締結固定した状態で、前記第１の取付金具の天井片部の表面と前記第２の取付金具の水平片部の保持部の裏面との間で前記ソーラーパネルの端部を挟み込んで固定してなることを特徴とする。
【０００９】
請求項２の発明は、請求項１記載のソーラーパネルの取付構造であって、前記第２の取付金具の水平片部は、上下二段の水平部を有し、この下段の水平部に前記取付孔を形成し、前記保持部としての上段の水平部の裏面で前記ソーラーパネルの端部を保持してなることを特徴とする。
【発明の効果】
【００１０】
以上説明したように、請求項１の発明によれば、折板屋根の頂部に取り付けられた取付ブラケットにボルトとナットを介して締結固定された状態で、表面に別のボルトのシャンク部を上向きに突出させた第１の取付金具と、この第１の取付金具の表面に突出した別のボルトのシャンク部にナットを介して締結固定された状態で、下端側が該第１の取付金具の表面に近接され或いは載置されて上端側と該第１の取付金具との間でソーラーパネルの端部を挟持する第２の取付金具と、を備え、第１の取付金具の表面に突出した別のボルトのシャンク部にナットを介して第２の取付金具を締結固定した状態で、第１の取付金具の表面と第２の取付金具の裏面との間でソーラーパネルの端部を挟み込んで固定してなることにより、既設の折板屋根の頂部に取り付けられた取付ブラケットの上から順に第１の取付金具と第２の取付金具を簡単かつ確実に組み付けることができる。これにより、既設の折板屋根の頂部にソーラーパネルを短時間でかつスムーズに効率良く設置することができる。
【００１１】
特に、請求項１の発明によれば、第１の取付金具は、取付ブラケットの一対の取付片部に載置された状態でボルトとナットを介して締結固定されるＬ字形で一対の載置片部と、この一対の載置片部の各上端に折り曲げ形成され、表面に別のボルトのシャンク部を上向きに突出させた天井片部と、を有し、第２の取付金具は、下端が第１の取付金具の天井片部の表面に近接され或いは載置される起立片部と、この起立片部の上端に折り曲げ形成され、別のボルトのシャンク部を貫通させる取付孔及びソーラーパネルの端部を保持する保持部をそれぞれ形成した水平片部と、を有し、第１の取付金具の天井片部の表面に突出した別のボルトのシャンク部に第２の取付金具の水平片部の取付孔を挿通させてナットを介して該水平片部を締結固定した状態で、第１の取付金具の天井片部の表面と第２の取付金具の水平片部の保持部の裏面との間でソーラーパネルの端部を挟み込んで固定してなることにより、取付ブラケットに取り付けられる第１の取付金具と第２の取付金具の部品点数の少ない最小個数の取付金具により、ソーラーパネルを折板屋根の頂部に簡単かつ確実に低コストで取り付けることができる。
【００１２】
請求項２の発明によれば、第２の取付金具の水平片部は、上下二段の水平部を有し、この下段の水平部に取付孔を形成し、保持部としての上段の水平部の裏面でソーラーパネルの端部を保持してなることにより、上下二段の水平部によりソーラーパネルの端部を保持する第２の取付金具の水平片部の強度を向上させることができると共に、ソーラーパネルを折板屋根の頂部に強固に取り付けることができる。
【図面の簡単な説明】
【００１３】
【図１】本発明の一実施形態のソーラーパネルの取付構造を示す要部の斜視図である。
【図２】上記ソーラーパネルの取付構造の要部の分解斜視図である。
【図３】上記ソーラーパネルの取付構造の要部の側面図である。
【図４】上記ソーラーパネルの取付構造の要部の平面図である。
【図５】上記ソーラーパネルの取付構造の要部の正面図である。
【図６】上記ソーラーパネルを折板屋根の頂部に取付金具を介して取り付けた取付状態の平面図である。
【図７】上記取付状態の側面図である。
【図８】上記取付状態の正面図である。
【発明を実施するための形態】
【００１４】
以下、本発明の一実施形態を図面に基づいて説明する。
【００１５】
図１は本発明の一実施形態のソーラーパネルの取付構造を示す要部の斜視図、図２は同ソーラーパネルの取付構造の要部の分解斜視図、図３は同ソーラーパネルの取付構造の要部の側面図、図４は同ソーラーパネルの取付構造の要部の平面図、図５は同ソーラーパネルの取付構造の要部の正面図、図６は同ソーラーパネルを折板屋根の頂部に取付金具を介して取り付けた取付状態の平面図、図７は同取付状態の側面図、図８は同取付状態の正面図である。
【００１６】
図２に示すように、ソーラーパネル１の取付構造は、既存の重ね式折板屋根２の頂部２ｂから外側に突出した図示しないタイトフレーム（固定金具）に固着のボルト３に、予め取付ブラケット４が取り付けてあり、この既設の取付ブラケット４に取り付けられる第１の取付金具１０と第２の取付金具２０を介して既存の重ね式折板屋根２の頂部２ｂに太陽光発電モジュールや太陽熱温水器等のソーラーパネル１を固定して設置するものである。
【００１７】
図１〜図８に示すように、折板屋根２は折板２ａを葺いてなり、その頂部２ｂにはタイトフレーム（図示省略）のボルト３が差し込まれる円形の取付孔（図示省略）を形成してある。また、折板屋根２の裏面には発泡樹脂等の断熱材（図示省略）を貼り付けてある。さらに、タイトフレームは折板屋根２の折板２ａの断面形状に合わせて略台形波状に折り曲げられ、その頂部２ｂにボルト３を上向きに固着してある。そして、折板屋根２はタイトフレームを介して梁材としての鉄骨（図示省略）に取り付けられており、折板屋根２の頂部２ｂから外側にボルト３を突出させている。この折板屋根２の頂部２ｂから外側に突出したボルト３には、ドームナット（ナット）８を螺合してある。このドームナット８の螺合により、折板屋根２の頂部２ｂには取付ブラケット４が締結固定されている。さらに、折板屋根２は、所定の方向に例えば１．５゜の勾配を有して傾斜している。
【００１８】
図１〜図５に示すように、取付ブラケット４は、折板屋根２の頂部２ｂに載置される矩形枠状の載置片部５と、この載置片部５の長手方向の両端からＬ字形に折れ曲がる第１の取付金具固定用の一対の取付片部６，６を有している。
【００１９】
図３に示すように、取付ブラケット４の載置片部５の中央の折板屋根２の頂部２ｂに形成された円形の取付孔（図示省略）に対応する位置には、円形の取付孔５ａを形成してある。また、図５に示すように、載置片部５の両側には、折板屋根２の頂部２ｂに沿うように下方に折り曲げられた載置延長片部７をそれぞれ一体形成してある。
【００２０】
図１及び図２に示すように、取付ブラケット４の一対の取付片部６，６は、起立部６ａと水平部６ｂとでＬ字形に形成してあり、各水平部６ｂには取付孔６ｃを形成してある。また、一対の起立部６ａ，６ａの各一端の左右対象位置には、補強部６ｄを載置片部５側にＬ字状に折り曲げ形成されている。この補強部６ｄにより水平部６ｂの強度を補強している。
【００２１】
尚、取付ブラケット４の載置片部５と一対の載置延長片部７，７の裏面には、緩衝材・シール材としての含油製で矩形板状のパッキン（図示省略）を接着剤等により固着してある。これにより、取付ブラケット４の載置片部５と一対の載置延長片部７，７は、折板屋根２の頂部２ｂにガタ付くことなく載置されるようになっている。
【００２２】
図１〜図５に示すように、第１の取付金具１０は、既設の取付ブラケット４の一対の取付片部６，６に載置されてボルト１５とナット１６を介して締結固定されるＬ字形で一対の載置片部１１，１１と、この一対の載置片部１１，１１の各上端１１ａに折り曲げ一体形成され、表面１２ａに別のボルト１７のシャンク部１７ｂを上向きに突出させた天井片部１２と、を有している。各載置片部１１の中央には長手方向と直交する方向に延びる楕円形の取付孔１１ｂを形成してある。また、天井片部１２の中央には円形の取付孔１２ｂを形成してある。また、Ｌ字形の各載置片部１１の角部には裏面側に三角錐状に突出した一対の補強部１３，１３を形成してある。さらに、各載置片部１１と天井片部１２の各角部には、裏面側に三角錐状に突出した一対の補強部１４，１４を形成してある。これら各補強部１３，１４により載置片部１１と天井片部１２の強度を補強している。尚、図中符号１９ａはスプリングワッシャ、符号１９ｂはワッシャをそれぞれ示す。
【００２３】
図１〜図５に示すように、第２の取付金具２０は、下端２１ｂが第１の取付金具１０の天井片部１２の表面１２ａに近接され或いは載置される起立片部２１と、この起立片部２１の上端２１ａに折り曲げ一体形成され、天井片部１２の表面１２ａに上向きに突出させたボルト１７のシャンク部１７ｂを貫通させる取付孔２３ａ及びソーラーパネル１の端部１ａを保持する保持部２４をそれぞれ形成した水平片部２２と、を有している。
【００２４】
図２及び図３に示すように、第２の取付金具２０の水平片部２２は、略Ｚ字状に折り曲げ形成された上下二段の水平部２４，２３を有している。この下段の水平部２３の中央に長手方向に延びる楕円形の取付孔２３ａを形成してある。また、上段の水平部（保持部）２４の裏面２４ｂでソーラーパネル１の端部１ａを保持するようになっている。さらに、第２の取付金具２０の起立片部２１から水平片部２２にかけて、表面側にコ字溝状に吐出した一対の補強部２５，２５を取付孔２３ａを挟むように平行に形成してある。この各補強部２５により起立片部２１及び水平片部２２の強度を補強している。
【００２５】
そして、図３に示すように、第１の取付金具１０の天井片部１２の表面１２ａから突出したボルト１７のシャンク部１７ｂに第２の取付金具２０の水平片部２２の下段の水平部２３の取付孔２３ａを挿通させてナット１８を介して該水平片部２２を締結固定した際に、第１の取付金具１０の天井片部１２の表面１２ａと第２の取付金具２０の水平片部２２の保持部としての上段の水平部２４の裏面２４ｂとの間でソーラーパネル１の端部１ａを挟み込んで固定するようにしてある。
【００２６】
次に、以上実施形態のソーラーパネル１の取付構造による施工手順について説明する。
【００２７】
図２に示すように、重ね式折板屋根２の頂部２ｂから外側に突出したタイトフレームの頂部に固着のボルト３には、ドームナット８を介して取付ブラケット４が予め取り付けられている。この既設の取付ブラケット４の一対の取付片部６，６の上から、まず、第１の取付金具１０をボルト１５とナット１６を介して締結固定する。この際に、既設の取付ブラケット４の各取付片部６の取付孔６ｃにボルト１５のシャンク部１５ｂを螺合させて、各取付片部６の水平部６ｂから上向きにシャンク部１５ｂを予め突出させておけば、既設の取付ブラケット４の上から第１の取付金具１０を簡単かつ短時間に組み付けることができる。
【００２８】
次に、第１の取付金具１０の天井片部１２の表面１２ａから上向きに突出したボルト１７のシャンク部１７ｂに、第２の取付金具２０の水平片部２２の下段の水平部２３の取付孔２３ａを挿通させて、図３に示すように、第２の取付金具２０の起立片部２１の下端２１ｂを第１の取付金具１０の天井片部１２の表面１２ａに載置させる。そして、第１の取付金具１０の天井片部１２の表面１２ａと第２の取付金具２０の水平片部２２の上段の水平部２４の裏面２４ｂとの間にソーラーパネル１の端部１ａを挿入し、第２の取付金具２０の水平片部２２の下段の水平部２３の表面から外側に突出したボルト１７のシャンク部１７ｂにナット１８を締結固定することで、第１の取付金具１０の天井片部１２の表面１２ａと第２の取付金具２０の水平片部２２の上段の水平部２４の裏面２４ｂとの間でソーラーパネル１の端部１ａが固定される。この際、第１の取付金具１０の天井片部１２の表面１２ａから第２の取付金具２０の水平片部２２の上段の水平部２４の裏面２４ｂまでの間隔を、ソーラーパネル１の端部１ａの厚みよりも若干狭めておけば、第１の取付金具１０の天井片部１２の表面１２ａと第２の取付金具２０の水平片部２２の上段の水平部２４の裏面２４ｂとの間でソーラーパネル１の端部１ａを確実に固定することができる。また、第１の取付金具１０の天井片部１２の取付孔１２ｂにボルト１７のシャンク部１７ｂを螺合させて、天井片部１２の表面１２ａから上向きにシャンク部１７ｂを予め突出させておけば、第１の取付金具１０の上から第２の取付金具２０を簡単かつ短時間に組み付けることができる。
【００２９】
このようにして、図６〜図８に示すように、１枚のソーラーパネル１の４箇所を各取付金具１０，２０を介して既存の取付ブラケット４に取り付けることにより、既存の重ね式折板屋根２の頂部２ｂにソーラーパネル１を短時間でかつスムーズに効率良く設置することができる。
【００３０】
また、折板屋根２の頂部２ｂに予め締結固定された複数の取付ブラケット４を使用するため、従来のようなソーラーパネル１を固着するＣ型鋼製の架台等の数多くの締結部材が不要となり、その分、低コスト化及び軽量化を図ることができる。
【００３１】
このように、既設の重ね式折板屋根２の頂部２ｂに予め取り付けられている既設の取付ブラケット４にボルト１５とナット１６を介して締結固定され、表面１２ａにボルト１７のシャンク部１７ｂを上向きに突出させた第１の取付金具１０と、第１の取付金具１０の天井片部１２の表面１２ａから突出したシャンク部１７ｂにナット１８を介して締結固定され、第１の取付金具１０との間でソーラーパネル１の端部１ａを挟持する第２の取付金具２０と、を備え、第１の取付金具１０の天井片部１２の表面１２ａに突出したシャンク部１７ｂにナット１８を介して第２の取付金具２０を締結固定した際に、第１の取付金具１０の天井片部１２の表面１２ａと第２の取付金具２０の水平片部２２の上段の水平部２４の裏面２４ｂとの間でソーラーパネル１の端部１ａを挟み込んで固定するようにしたことで、既設の折板屋根２の頂部２ｂに取り付けられた既設の取付ブラケット４の上から順に第１の取付金具１０と第２の取付金具２０を簡単かつ確実に組み付けることができる。これにより、既設の折板屋根２の頂部２ｂにソーラーパネル１を短時間でかつスムーズに効率良く設置することができる。
【００３２】
また、第１の取付金具１０は、既設の取付ブラケット４の一対の取付片部６，６に載置されてボルト１５とナット１６を介して締結固定されるＬ字形で一対の載置片部１１，１１と、この一対の載置片部１１，１１の各上端１１ａに折り曲げ一体形成され、表面１２ａにボルト１７のシャンク部１７ｂを上向きに突出させた天井片部１２と、を有し、第２の取付金具２０は、下端２１ｂが第１の取付金具１０の天井片部１２に載置される起立片部２１と、この起立片部２１の上端２１ａに折り曲げ一体形成され、ボルト１７のシャンク部１７ｂを貫通させる取付孔２３ａ及びソーラーパネル１の端部１ａを保持する保持部２４をそれぞれ形成した水平片部２２と、を有し、第１の取付金具１０の天井片部１２の表面１２ａに突出したボルト１７のシャンク部１７ｂに第２の取付金具２０の水平片部２２の取付孔２３ａを挿通させてナット１８を介して該水平片部２２を締結固定した際に、第１の取付金具１０の天井片部１２の表面１２ａと第２の取付金具２０の水平片部２２の保持部２４の裏面２４ｂとの間でソーラーパネル１の端部１ａを挟み込んで固定するようにしたことにより、既設の取付ブラケット４に取り付けられる第１の取付金具１０と第２の取付金具２０の部品点数の少ない最小個数の取付金具１０，２０により、ソーラーパネル１を折板屋根２の頂部２ｂに簡単かつ確実に低コストで取り付けることができる。
【００３３】
さらに、第２の取付金具２０の水平片部２２は、上下二段の水平部２４，２３を有し、この下段の水平部２３に取付孔２３ａを形成し、保持部としての上段の水平部２４の裏面２４ｂでソーラーパネル１の端部１ａを保持するようにしたことにより、この上下二段の水平部２４，２３と一対の補強部２５，２５とにより、ソーラーパネル１の端部１ａを保持する第２の取付金具２０の水平片部２２の強度をより一段と向上させることができると共に、ソーラーパネル１を折板屋根２の頂部２ｂにより強固に取り付けることができる。
【００３４】
さらに、図３に示すように、既設の取付ブラケット４の一対の取付片部６，６に載置されてボルト１５とナット１６を介して締結固定される第１の取付金具１０、及び、この第１の取付金具１０の天井片部１２の表面１２ａから突出したボルト１７のシャンク部１７ｂにナット１８を介して締結固定される第２の取付金具２０は、各ボルト１５，１７のヘッド部１５ａ，１７ａが下側にそれぞれ位置していると共に、シャンク部１５ｂ，１７ｂが上側にそれぞれ位置しているため、経時的に各ナット１６，１８が緩んだり外れて、万が一、各ボルト１５，１７が抜け落ちても、その状況が外部から簡単に確認できるため、保守点検等を容易かつ確実に行うことができる。
【００３５】
尚、前記実施形態の既設の取付ブラケット４は、本出願人が特願２０１２−２３７５５３にて出願したものを用いたが、本出願人が特願２０１３−００５８７１にて出願した取付ブラケットなど他の既設の取付ブラケットを用いても良い。また、第２の取付金具の両側にソーラーパネルの保持部をそれぞれ設けて、１組の第１の取付金具と第２の取付金具で、隣接する各ソーラーパネルの端部をそれぞれ保持するようにしても良い。
【符号の説明】
【００３６】
１  ソーラーパネル
１ａ  端部
２  折板屋根
２ａ  折板
２ｂ  頂部
４  既設の取付ブラケット
６，６  一対の取付片部
１０  第１の取付金具
１１，１１  一対の載置片部
１１ａ  上端
１２  天井片部
１２ａ  表面
１５  ボルト
１６  ナット
１７  別のボルト
１７ｂ  シャンク部
１８  ナット
２０  第２の取付金具
２１  起立片部
２１ａ  上端
２１ｂ  下端
２２  水平片部
２３  下段の水平部
２３ａ  取付孔
２４  上段の水平部（保持部）
２４ｂ  裏面
【図１】
0005969541.tif 000002
【図２】
0005969541.tif 000003
【図３】
0005969541.tif 000004
【図４】
0005969541.tif 000005
【図５】
0005969541.tif 000006
【図６】
0005969541.tif 000007
【図７】
0005969541.tif 000008
【図８】
0005969541.tif 000009